(57)【要約】      （修正有）【課題】簡単な構造で切妻屋根部の組立、折畳み操作が容易適格に行われるユニットハウスを提供する。【解決手段】前記解決するために建物躯体２と、該建物躯体２上に搭載されて固定される切妻屋根部３とから成り、且つ、該切妻屋根部３は相互に対向して山形状に形成される一対の屋根パネル３Ａ，３Ｂから構成されて成るユニットハウスに於いて、前記一対の屋根パネル３Ａ，３Ｂの端部対向面に固定部を兼ねた枢着部を設けて相互に回動可能に形成され、更に、前記建物躯体２の一方の平側パネル３Ａ上端部各角部に該一方の屋根パネル３Ａの固定部を兼ねた回動支点を設けるとともに、該建物駆体２の他方の平側パネル３Ｂ上端部各角部に他方の屋根パネル３Ｂの固定部とスライド部とを設けたユニットハウスを提供する。【選択図】図１
2009084865.tif 000002
【特許請求の範囲】
【請求項１】
建物躯体と、該建物躯体上に搭載されて固定される切妻屋根部とから成り、且つ、該切妻屋根部は相互に対向して山形状に形成される一対の屋根パネルから構成されて成るユニットハウスに於いて、
前記一対の屋根パネルの端部対向面に固定部を兼ねた枢着部を設けて相互に回動可能に形成され、更に、前記建物躯体の一方の平側パネル上端部各角部に該一方の屋根パネルの固定部を兼ねた回動支点を設けるとともに、該建物駆体の他方の平側パネル上端部各角部に他方の屋根パネルの固定部とスライド部とを設けたことを特徴とするユニットハウス。
【請求項２】
上記一対の屋根パネルの対向面における固定部を兼ねた枢着部は、一方の屋根パネルにボルト挿通孔を有する二枚のブラケットが所定間隔を有して対峙して突設され、他方の屋根パネルにボルト挿通孔を有する突片が突設されて前記二枚のブラケット間に挿入され、各ボルト挿通孔にボルトを遊嵌して相互に回動できるように形成されるとともに、該ボルトの締付けにより一対の屋根パネルが対向面において固定できるように構成されたことを特徴とする請求項１記載のユニットハウス。
【請求項３】
上記建物躯体の一方の平側パネル上端部各角部に設けられている一方の屋根パネルの固定部を兼ねた回動支点は、該建物躯体の一方の平側パネル上端部各角部から該平側パネル前面側、又は上記一方の屋根パネルの先端部近傍下面であって、且つ、前記平側パネル上端部各角部に対向する個所に二枚のブラケットが対峙して突設され、該ブラケット間に回動可能に遊挿される突片が前記一方の屋根パネルの先端近傍下面、又は前記平側パネル上端部各角部から該平側パネル前面側へ突設され、該突片と前記二枚のブラケットに夫々ボルト挿通孔を開穿し、該ボルト挿通孔にボルトを遊挿し、該ボルトを回動支点として前記一方の屋根パネルが水平状に折畳まれ、又は前記他方の屋根パネルとともに山形状を呈するように立上げられて、平側パネル上に前記ボルトの締付けにより固定できるように構成されたことを特徴とする請求項１記載のユニットハウス。
【請求項４】
上記他方の平側パネル上端部各角部に設けられた他方の屋根パネルの固定部は、該平側パネル上端部各角部から該他方の平側パネル前面へ固定片が突設され、該固定片に当接する当片を前記他方の屋根パネルの先端部近傍の下面に突設し、且つ、該固定片と当片の双方にボルト挿通孔を開穿し、切妻屋根部を山形状に組立てるとき、前記固定片と当片とが当接し、ボルト挿通孔にボルトを螺着して該他方の屋根パネルを他方の平側パネル上に固定できるように構成するとともに、上記他方の平側パネル上端部各角部に設けた他方の屋根パネルのスライド部は、上記固定片の内側へロールが並設され、該ロール上をスライド可能に上記他方の屋根パネルの下面に案内板が設けられたことを特徴とする請求項１記載のユニットハウス。
【発明の詳細な説明】
【技術分野】
【０００１】
この発明はユニットハウスに関するものであり、特に、切妻屋根部の折畳み及び組立が容易適格に実行できるユニットハウスに関するものである。
【背景技術】
【０００２】
従来、工場で切妻屋根部を取付けたユニットハウスを製造し、該切妻屋根部を建物躯体上に搭載したままで輸送し、現場にて切妻屋根部を構成することによって現場工事の手間と輸送上の問題を解決した此種ユニットハウスが知られている。而して、該切妻屋根部は建物躯体上に取付けられた一対の小屋組と、該小屋組に支持された２枚の屋根パネルとから成る。該屋根パネルは建物躯体上において、山形状を呈する如く組立てられる。而も、２枚の屋根パネルは夫々建物躯体の端部において蝶番を介して回動できるように構成され、更に、前記２枚の屋根パネルを支持する小屋組は建物躯体内側へ水平状に倒回できるように該建物躯体端部に蝶着されている。そこで、切妻屋根部を建物躯体上に組立てるときには、前記一対の屋根パネルを蝶番を介し斜め上方へ回動させて山形状に形成するとともに、該屋根パネルを支持する前記一対の小屋組を前記蝶着部を介し、上方へ垂直に立上げて前記２枚の屋根パネルを夫々支持し、ボルトを用いて固定できるように構成されて成るのである。（例えば特許文献１参照）
【特許文献１】特開２００５−２３６６１
【発明の開示】
【発明が解決しようとする課題】
【０００３】
上記特許文献１記載の切妻屋根部は、２枚の屋根パネル及び之等を支持する一対の小屋組を夫々個々に操作して折畳み、組立て作業を実施することになり、之等の作業は煩雑であり、且つ、相当の時間を費やすことになる。
【０００４】
そこで、簡単な構造で切妻屋根部の組立、折畳み操作が容易適格に行われるユニットハウスを提供するために解決せらせれるべき技術的課題が生じてくるのであり、本発明は該課題を解決することを目的とする。
【課題を解決するための手段】
【０００５】
本発明の請求項１記載の発明は、上記目的を達成するために建物躯体と、該建物躯体上に搭載されて固定される切妻屋根部とから成り、且つ、該切妻屋根部は相互に対向して山形状に形成される一対の屋根パネルから構成されて成るユニットハウスに於いて、前記一対の屋根パネルの端部対向面に固定部を兼ねた枢着部を設けて相互に回動可能に形成され、更に、前記建物躯体の一方の平側パネル上端部各角部に該一方の屋根パネルの固定部を兼ねた回動支点を設けるとともに、該建物駆体の他方の平側パネル上端部各角部に他方の屋根パネルの固定部とスライド部とを設けたユニットハウスを提供する。
【０００６】
この構成によれば、対向して配設される屋根パネルは対向面において相互に回動して山形状又は水平状に折畳まれる。そこで、山形状に組立てられている一対の屋根パネルを折畳んで輸送しようとする際には、一方の屋根パネルの固定部を兼ねた回動支点を介して回動しながら、該一方の屋根パネルが建物躯体の一方の屋根パネル上に重ねられる。このとき、他方の屋根パネルは前記スライド部を介して該他方の屋根パネルの先端部が他方の平側パネルから遠く離れた位置まで延ばされた状態となり、前記一方の屋根パネルと相俟って建物躯体上に水平状に折畳まれる。
【０００７】
又、折畳まれた切妻屋根部を山形状に組立てる際には、一対の屋根パネルの対向面の枢
着部をクレーン等により吊り上げることにより該枢着部位が持ち上げられる。このとき、一方の屋根パネルは前記回動支点を介して回動しながら持ち上げられ、他方の屋根パネルは前記スライド部を介してスライドしながら持ち上げられ、双方相俟って山形状に形成されたとき、前記双方の屋根パネル先端部下面の固定部をボルトの締付けによって固定する。
【０００８】
請求項２記載の発明は上記一対の屋根パネルの対向面における固定部を兼ねた枢着部は、一方の屋根パネルにボルト挿通孔を有する二枚のブラケットが所定間隔を有して対峙して突設され、他方の屋根パネルにボルト挿通孔を有する突片が突設されて前記二枚のブラケット間に挿入され、各ボルト挿通孔にボルトを遊嵌して相互に回動できるように形成されるとともに、該ボルトの締付けにより一対の屋根パネルが対向面において固定できるように構成されたユニットハウスを提供する。
【０００９】
この構成によれば、一対の屋根パネルは枢着部を介して回動可能であるとともに、ボルトの締付けによって双方の屋根パネルは固定される。斯くして、切妻屋根部を山形状又は水平状に折畳む際には、前記屋根パネルの枢着部を介して双方の回動動作に基づいて実行される。
【００１０】
請求項３記載の発明は、上記建物躯体の一方の平側パネル上端部各角部に設けられている一方の屋根パネルの固定部を兼ねた回動支点は、該建物躯体の一方の平側パネル上端部各角部から該平側パネル前面側、又は上記一方の屋根パネルの先端部近傍下面であって、且つ、前記平側パネル上端部各角部に対向する個所に二枚のブラケットが対峙して突設され、該ブラケット間に回動可能に遊挿される突片が前記一方の屋根パネルの先端近傍下面、又は前記平側パネル上端部各角部から該平側パネル前面側へ突設され、該突片と前記二枚のブラケットに夫々ボルト挿通孔を開穿し、該ボルト挿通孔にボルトを遊挿し、該ボルトを回動支点として前記一方の屋根パネルが水平状に折畳まれ、又は前記他方の屋根パネルとともに山形状を呈するように立上げられて、平側パネル上に前記ボルトの締付けにより固定できるように構成されたユニットハウスを提供する。
【００１１】
この構成によれば、一方の屋根パネルは一方の平側パネル上端部各角部において回動支点を介して回動して他方の屋根パネルと相俟って山形状に形成され、又は一方の平側パネル上に水平状に重ねられて折畳まれ、ボルトの締付けによって固定される。
【００１２】
請求項４記載の発明は、上記他方の平側パネル上端部各角部に設けられた他方の屋根パネルの固定部は、該平側パネル上端部各角部から該他方の平側パネル前面へ固定片が突設され、該固定片に当接する当片を前記他方の屋根パネルの先端部近傍の下面に突設し、且つ、該固定片と当片の双方にボルト挿通孔を開穿し、切妻屋根部を山形状に組立てるとき、前記固定片と当片とが当接し、ボルト挿通孔にボルトを螺着して該他方の屋根パネルを他方の平側パネル上に固定できるように構成するとともに、上記他方の平側パネル上端部各角部に設けた他方の屋根パネルのスライド部は、上記固定片の内側へロールが並設され、該ロール上をスライド可能に上記他方の屋根パネルの下面に案内板が設けられたユニットハウスを提供する。
【００１３】
この構成によれば他方の屋根パネルは、他方の平側パネル上において、前記固定片の内側へ設けられているロール上を案内板がスライドしながら該他方の屋根パネルが他方の平側パネル上に水平状に重ねられ、又は前記一方の屋根パネルとの対向面がクレーン等により持ち上げられるとき、前記スライド部を介して他方の屋根パネルが他方の平側パネル上をスライドしながら、前記一方の屋根パネルと相俟って山形状の切妻屋根部が形成される。このとき、該他方の屋根パネルの先端部近傍の下面に突設されている当片が他方の平側パネル上端部に突設されている固定片と当接し、夫々のボルト挿通孔にボルトを挿通して
締付けることにより該他方の屋根パネルは他方の平側パネル上に固定される。
【発明の効果】
【００１４】
請求項１記載の発明は、山形状切妻屋根部を構成する二枚の屋根パネルはそのまま対向面に設けた固定部を兼ねた枢着部により、回動可能であるとともにボルトの締付けによって該対向面が固定される。
【００１５】
又、一方の屋根パネルは一方の平側パネル上に形成された回動支点を介して回動可能であるとともに、該回動支点を形成する回動部位がボルトの締付けによって締付けられ、該一方の屋根パネル先端部が一方の建物躯体の平側パネル上に固定される。
【００１６】
又、他方の屋根パネルは、建物躯体の他方の平側パネル上に形成された固定部とスライド部により、該他方の平側パネル上をスライドしながら水平状又は前記一方の屋根パネルとの対向面側が上方へ持ち上げられることにより、該一方の屋根パネルと相俟って山形状の切妻屋根部が形成され、前記固定部にて該他方の屋根パネルが他方の平側パネル上に固定される。
【００１７】
斯くして、山形状の切妻屋根部は従来例のように小屋組を介して組み立てられるのではなく、構成が極めて簡単であって、且つ、組立て又は折畳み作業が容易適格に実行され、コストダウンにも寄与することができる。
【００１８】
又、請求項２乃至４記載の発明は、上記請求項１記載の発明の作用を一層適格に機能させたものであり、之により本発明の切妻屋根部が簡単な構造でその組立て、折畳み操作が容易迅速且つ、確実に実行されることが可能となった。
【発明を実施するための最良の形態】
【００１９】
本発明は、簡単な構造で、切妻屋根部の組立て、折畳み操作が容易適格に行われるユニットハウスを提供すると云う目的を達成するために建物躯体と、該建物躯体上に搭載されて固定される切妻屋根部とから成り、且つ、該切妻屋根部は相互に対向して山形状に形成される一対の屋根パネルから構成されて成るユニットハウスに於いて、前記一対の屋根パネルの端部対向面に固定部を兼ねた枢着部を設けて相互に回動可能に形成され、更に、前記建物躯体の一方の平側パネル上端部各角部に該一方の屋根パネルの固定部を兼ねた回動支点を設けるとともに、該建物駆体の他方の平側パネル上端部各角部に他方の屋根パネルの固定部とスライド部とを設けたことを特徴とするユニットハウスを提供することにより実現した。
【実施例】
【００２０】
以下、本発明の好適な一実施例を図１乃至図８に従って詳述する。図１は本発明のユニットハウス１を組立てた状態を示す解説斜面図である。該ユニットハウス１は建物躯体２と、該建物躯体上に設けられている切妻屋根部３とから成る。而して、前記建物躯体２は平側パネル４と妻側パネル５とを有し、更に、例えば妻側パネル５には入口６及び窓７が設けられる。
【００２１】
又、前記切妻屋根部３は屋根パネル３Ａ，３Ｂとから成り、そして、一方の屋根パネル３Ａと他方の屋根パネル３Ｂとの端部は固定部を兼ねた枢着部８によって合接されている。そこで、該枢着部８を介して山形状に形成された切妻屋根部３の棟部にはカバー９が固定され、更に、建物躯体２の妻側パネル５と前記切妻屋根部３によって形成された山形状の空間部には壁材１０が固定されてユニットハウス１が構築される。
【００２２】
図２は本発明のユニットハウス１を輸送するとき、前記建物躯体２上に前記切妻屋根部
３を水平状に折畳んで重ね、全高を低くした状態で輸送する状態を示す。
【００２３】
尚、図２中、符号１１は屋根パネル３Ａ，３Ｂを水平状に折畳んで建物躯体２上に搭載したまま輸送するとき、該屋根パネル３Ａ，３Ｂを建物躯体２に固定するため別途設けられた固定部を示す。
【００２４】
図３（ａ）は前記屋根パネル３Ａ，３Ｂを示し、同図（ｂ）はその端部対向面にて双方の屋根パネル３Ａ，３Ｂを接合し、該接合部位を双方の屋根パネル３Ａ，３Ｂの固定部を兼ねた枢着部８を形成するために、例えば一方の屋根パネル３Ａ側に二枚のブラケット１２，１２を対峙して突設し、他方の屋根パネル３Ｂに一枚の突片１３を突設し、該突片１３を前記二枚のブラケット１２，１２間に挿入すると共に、之等ブラケット１２，１２及び突片１３に設けたボルト挿通孔１４，１４にボルト１５を挿入して、該ボルト１５を回動支点として双方の屋根パネル３Ａと３Ｂとを回動可能に形成し、更に、双方の屋根パネル３Ａ，３Ｂによって山形状に形成されたとき、又は水平状に折畳まれたとき該ボルト１５の締付けによって固定できるように形成されている。
【００２５】
又、該双方の屋根パネル３Ａ，３Ｂを水平状に折畳んで輸送する際には、前述したように別途設けた固定部１１，１１…にて双方の屋根パネル３Ａ，３Ｂが建物躯体２に固定されるので、前記ボルト１５による締付けは必ずしも要しないこともある。
【００２６】
図４（ａ）は前記屋根パネル３Ａ，３Ｂを示し、同図（ｂ）は前記屋根パネル３Ａ，３Ｂを搭載する建物躯体２の平側パネル４を示す。
【００２７】
図５は図４円（Ａ）内を拡大して示す解説斜面図、図６は図５の正面図、図７は図５の円（Ｂ）内を拡大して示す解説斜面図、図８は図７に示す２点鎖線の他方の屋根パネル３Ｂを一方の屋根パネル３Ａと共に山形状に形成して切妻屋根部３を形成するとき、他方の平側パネル４に設けた固定部１１ｂ，１１ｂにて該他方の屋根パネル３Ｂが固定される状態を示す正面図である。
【００２８】
図５において、平側パネル４の上端部角部に前面に向かって二枚のブラケット１２ａ，１２ａが突設されている。之に対し、該二枚のブラケット１２ａ，１２ａ間に挿入されて固定される突片１３ａが前記一方の屋根パネル３Ａの下面に突設されて固定部１１ａを形成している。そして、該ブラケット１２ａ，１２ａ及び突片１３ａには夫々対峙してボルト挿通孔１４ａ，１４ａ，１４ａが開穿され、該ボルト挿通孔１４ａ，１４ａ，１４ａにボルト１５ａを挿入し、該ボルト１５ａを介して前記一方の屋根パネル３Ａが回動可能に枢着されると共に、双方の屋根パネル３Ａ，３Ｂを山形状に形成したとき、他の固定部１１ｂと相俟って該ボルト１５ａの締付けによって山形状に形成された切妻屋根部３を建物躯体２の平側パネル４，４上に搭載して固定できるように構成されている。
【００２９】
斯くして、双方の屋根パネル３Ａ，３Ｂの合接部位をクレーン等でつり下げて該合接部位を持ち上げ、双方の屋根パネル３Ａ，３Ｂにて山形状の切妻屋根部３を形成するとき、屋根パネル３Ａに設けた突片１３ａがボルト１５ａを回動支点として回動しながら、該突片１３ａを設けた一方の屋根パネル３Ａが回動し、他方の屋根パネル３Ｂとによって山形状の切妻屋根部３が形成される。
【００３０】
又、山形状に組み立てられた切妻屋根部３を建物躯体２上に搭載したまま輸送する際には、双方の屋根パネル３Ａ，３Ｂを水平状に折畳んで全高を低くして輸送するのであるが、このときも、前記ボルト１５ａの締付けを施緩し、該ボルト１５ａを回動支点として該一方の屋根パネル３Ａを、他方の屋根パネル３Ｂと相俟って水平状に折畳むことにより、切妻屋根部３を予め搭載したユニットハウスの全高を可及的に低くして輸送できるように
構成されている。
【００３１】
図７及び図８は、前記した通り他方の屋根パネル３Ｂと他方の平側パネル４との固定部１１ｂとスライド部１６を示す。図において前記固定部１１ｂは平側パネル４上端角部の前面に向かって突設された固定片１７と他方の屋根パネル３Ｂの先端部下面近傍に下方へ向かって対峙して突設された当片１８，１８とから成る。該固定片１７と当片１８，１８は双方の屋根パネル３Ａと３Ｂとによって切妻屋根部３が山形状に形成されるとき、固定片１７が二枚の当片１８，１８間に挿入して合接し、該固定片１７と当片１８，１８に夫々開穿されたボルト挿通孔１４ｂにボルト１５ｂを螺着して締付け、該ボルト１５ｂの締付けによって該他方の屋根パネル３Ｂを他方の平側パネル４上に適格に固定できるように構成されているのである。而して、山形状に形成された切妻屋根部３を水平状に折畳んで輸送する際には、該他方の屋根パネル３Ｂも、前記他方の平側パネル４上に水平状に折畳まれねばならない。
【００３２】
そこで、先ず、前記ボルト１５ｂを取外し、他方の平側パネル４の上端部に設けたロール１９上を他方の屋根パネル３Ｂ下面に設けた案内板２０がスライドすることによって水平状に折畳むことが可能となる。斯くして、他方の屋根パネル３Ｂが立上がり又は水平状にスライドし、そして、山形状の切妻屋根部３の形成及び、該切妻屋根部３を建物躯体２上に搭載した儘、ユニットハウス１の全高を可及的に低くして輸送上の規制等の問題点を解消できるように構成されている。
【００３３】
尚、スライド部１６を構成する前記ロール１９は平側パネル４と上端面が面一に形成されて前記固定片１７にボルト結合手段等によって固定されており、更に、前記案内板２０は略アングル状に形成されて前記他方の屋根パネル３Ｂ下面に固定されると共に、前記ロール１９面に当接してスライドできるように構成されている。
【００３４】
尚、本発明は、本発明の精神を逸脱しない限り種々の改変を為すことができ、そして、本発明が該改変されたものに及ぶことは当然である。
【図面の簡単な説明】
【００３５】
【図１】本発明のユニットハウスの斜面図。
【図２】図１のユニットハウスを輸送する状態を示す斜面図。
【図３】（ａ）二枚の屋根パネルを示す斜面図、（ｂ）図３（ａ）の円内を拡大して示す一部切欠斜面図。
【図４】（ａ）二枚の屋根パネルを示す斜面図、（ｂ）屋根パネルを搭載する建物躯体の平側パネルを示す斜面図。
【図５】図４円内（Ａ）における屋根パネルの固定部を兼ねた枢着部を示す一部切欠斜面図。
【図６】図５の屋根パネルに設けた突片を平側パネルに設けたブラケットとを合接させる状態を示す正面図。
【図７】図４の円内（Ｂ）における屋根パネルの固定部であって取付片と当片とが離れている状態を示す一部切欠斜面図。
【図８】図７において、前記取付片と当片とが合接されボルトにて締付けている状態を示す一部切欠正面図。
【符号の説明】
【００３６】
１            ユニットハウス
２            建物躯体
３            切妻屋根部
３Ａ，３Ｂ    屋根パネル
４            平側パネル
５            妻側パネル
８            固定部を兼ねた枢着部
１１            固定部
１１ａ，１１ｂ  固定部
１２，１２ａ    ブラケット
１３，１３ａ    突片
１４            ボルト挿通孔
１４ａ，１４ｂ  ボルト挿通孔
１５            ボルト
１５ａ，１５ｂ  ボルト
１６            スライド部
１７            固定片
１８            当片
１９            ロール
２０            案内板
【図１】
2009084865.tif 000003
【図２】
2009084865.tif 000004
【図３】
2009084865.tif 000005
【図４】
2009084865.tif 000006
【図５】
2009084865.tif 000007
【図６】
2009084865.tif 000008
【図７】
2009084865.tif 000009
【図８】
2009084865.tif 000010